【手続補正書】
【提出日】平成18年6月14日(2006.6.14)
【手続補正１】
【補正対象書類名】明細書
【補正対象項目名】特許請求の範囲
【補正方法】変更
【補正の内容】
【特許請求の範囲】
【請求項１】
所定のフレーム速度で動画像を表示するモニタに、画像信号を出力する撮像装置において、
被写体を撮像して、上記所定のフレーム速度よりも速いフレーム速度で画像信号を生成する撮像素子と、
上記撮像素子によって生成された画像信号を記録する記録手段と、
上記記録手段に記録されている画像信号を読み出す画像信号読み出し手段と、
上記撮像素子が生成した所定のフレーム数の画像信号又は上記画像信号読み出し手段によって上記記録手段から読み出された所定のフレーム数の画像信号に基づいて、１フレームの画像信号である代表画像信号を生成する代表画像信号生成手段と、
上記代表画像信号生成手段にて生成された上記代表画像信号を所定のフレーム速度にて上記モニタへの出力を制御する画像信号出力制御手段と、
を備えることを特徴とする撮像装置。
【請求項２】
上記画像信号出力制御手段は、上記モニタに動画像を表示させるときには、上記代表画像信号生成手段にて生成された上記代表画像信号を、上記所定のフレーム速度で、上記モニタに対して出力するように制御し、
上記モニタに静止画像を表示させるときには、上記画像信号読み出し手段によって上記記録手段から読み出された画像信号が供給され、供給された画像信号を、上記モニタに対して出力するように制御することを特徴とする請求項１記載の撮像装置。
【請求項３】
上記モニタに表示された画像を選択する画像選択手段を備え、
上記画像信号出力制御手段は、上記代表画像信号を、上記所定のフレーム速度で、上記モニタに対して出力するように制御し、
上記画像選択手段は、上記モニタに対して出力されている上記代表画像に基づいて、上記モニタに表示されている代表画像からいずれか１つを選択し、
上記画像読み出し手段は、上記画像選択手段によって選択された代表画像に対応する上記所定のフレーム数からなる関連画像信号群を上記記録手段から読み出し、
上記画像信号出力制御手段は、上記関連画像信号群を上記モニタに対して出力するように制御すること
を特徴とする請求項１記載の撮像装置。
【請求項４】  
上記画像信号出力制御手段は、上記所定のフレーム数の画像信号を加算することにより上記代表画像信号を生成し、上記所定のフレーム速度で、上記モニタに対して出力するように制御することを特徴とする請求項１記載の撮像装置。
【請求項５】  
上記画像信号出力制御手段は、上記撮像素子から出力された画像信号又は上記記録手段から読み出された画像信号を、上記所定のフレームレートとなるように、上記所定のフレーム数毎に上記モニタに出力することによって、上記所定のフレーム数の画像信号のうち１フレームの画像信号を、代表画像信号として出力することを特徴とする請求項１記載の撮像装置。
【請求項６】  
上記関連画像群はサムネイル画像群であり、上記モニタは、上記サムネイル画像群が並べられた画像を表示し、上記画像選択手段は、上記サムネイル画像群の中から所望のサムネイル画像を選択することにより、所望の静止画像を選択することを特徴とする請求項３記載の撮像装置。
【請求項７】
第１のフレーム速度にて画像信号が入力される画像入力手段と、
前記画像入力手段より第１のフレーム速度にて入力された画像信号の各フレームについて圧縮処理を施す圧縮手段と、
前記画像入力手段より第１のフレーム速度にて入力され、前記圧縮手段において圧縮された画像信号の各フレームを記録する記録手段と、
前記画像入力手段より入力された前記画像信号又は前記記録手段より読み出された画像信号を記憶する記憶手段と、
前記記憶手段に記憶された複数のフレームに対応する前記画像信号から、１フレームの画像信号である代表画像信号を生成する代表画像信号生成手段と、
前記代表画像信号生成手段により生成された前記代表画像信号を、第１のフレーム速度より小さい第２のフレーム速度にて出力する出力制御手段と、
前記出力制御手段より出力される前記代表画像信号を前記第２のフレーム速度にて表示する表示手段とを備えることを特徴とする画像処理装置。
【請求項８】
前記代表画像信号生成手段は、前記記憶手段に記憶された複数のフレームに対応する前記画像信号を加算することによって１フレームの画像信号である代表画像信号を生成することを特徴とする請求項７記載の画像処理装置。
【請求項９】  
モニタが動画像を表示するときの所定のフレーム速度よりも速いフレーム速度で被写体を撮像して画像信号を生成する撮像素子と、上記撮像素子から出力された画像信号を記録する記録手段とを備える撮像装置に適用される画像検索方法であって、
上記記録手段から、所定のフレーム数の画像信号を読み出す第１の画像信号読み出しステップと、
上記第１の画像信号読み出しステップで読み出された上記所定のフレーム数の画像信号に基づいて、１フレームの画像信号である代表画像信号を、上記所定のフレーム速度で出力する代表画像信号出力ステップと、
上記代表画像信号に基づいて生成された代表画像を、上記所定のフレーム速度で上記モニタに表示することにより、上記モニタに動画像を表示する動画像表示ステップと、
上記動画像表示ステップで上記モニタに表示された代表画像からいずれか１つを選択する代表画像選択ステップと、
上記代表画像選択ステップで選択された代表画像の元となる代表画像信号に対応する所定のフレーム数からなる関連画像信号群を、上記記憶手段から読み出す第２の画像信号読み出しステップと、
上記モニタに、上記第２の画像信号読み出しステップで読み出された関連画像信号群に基づいて生成した関連画像群を表示する関連画像群表示ステップと、
上記関連画像群の中から所望の関連画像を選択する関連画像選択ステップとを備えることを特徴とする画像検索方法。
【請求項１０】
上記代表画像信号出力ステップでは、上記記憶手段から読み出された上記所定のフレーム数の画像信号を加算することにより、上記代表画像信号を生成して、上記所定のフレーム速度で出力することを特徴とする請求項９記載の画像検索方法。
【請求項１１】
上記代表画像信号出力ステップでは、上記記憶手段から読み出された画像信号を、上記所定のフレーム速度となるように、上記所定のフレーム数毎に出力することにより、上記関連画像信号のうち１フレームの画像信号を代表画像信号として出力することを特徴とする請求項９記載の画像検索方法。
【請求項１２】
上記関連画像群は、サムネイル画像群であり、上記関連画像表示ステップでは、上記サムネイル画像群が並べられた画像を、上記モニタに表示し、上記静止画像選択ステップでは、上記サムネイル画像群の中から所望のサムネイル画像を選択することにより、所望の静止画像を選択することを特徴とする請求項９記載の画像検索方法。
【手続補正２】
【補正対象書類名】明細書
【補正対象項目名】００１０
【補正方法】変更
【補正の内容】
【００１０】
【課題を解決するための手段】
本発明は、所定のフレーム速度で動画像を表示するモニタに、画像信号を出力する撮像装置において、被写体を撮像して、上記所定のフレーム速度よりも速いフレーム速度で画像信号を生成する撮像素子と、上記撮像素子によって生成された画像信号を記録する記録手段と、上記記録手段に記録されている画像信号を読み出す画像信号読み出し手段と、上記撮像素子が生成した所定のフレーム数の画像信号又は上記画像信号読み出し手段によって上記記録手段から読み出された所定のフレーム数の画像信号に基づいて、１フレームの画像信号である代表画像信号を生成する代表画像信号生成手段と、上記代表画像信号生成手段にて生成された上記代表画像信号を所定のフレーム速度にて上記モニタへの出力を制御する画像信号出力制御手段とを備える。
ここで、上記画像信号出力制御手段は、上記モニタに動画像を表示させるときには、上記代表画像信号生成手段にて生成された上記代表画像信号を、上記所定のフレーム速度で、上記モニタに対して出力するように制御し、上記モニタに静止画像を表示させるときには、上記画像信号読み出し手段によって上記記録手段から読み出された画像信号が供給され、供給された画像信号を、上記モニタに対して出力するように制御する。
【手続補正３】
【補正対象書類名】明細書
【補正対象項目名】００１１
【補正方法】変更
【補正の内容】
【００１１】
また、本発明は、モニタが動画像を表示するときの所定のフレーム速度よりも速いフレーム速度で被写体を撮像して画像信号を生成する撮像素子と、上記撮像素子から出力された画像信号を記録する記録手段とを備える撮像装置に適用される画像検索方法であって、上記記録手段から、所定のフレーム数の画像信号を読み出す第１の画像信号読み出しステップと、上記第１の画像信号読み出しステップで読み出された上記所定のフレーム数の画像信号に基づいて、１フレームの画像信号である代表画像信号を、上記所定のフレーム速度で出力する代表画像信号出力ステップと、上記代表画像信号に基づいて生成された代表画像を、上記所定のフレーム速度で上記モニタに表示することにより、上記モニタに動画像を表示する動画像表示ステップと、上記動画像表示ステップで上記モニタに表示された代表画像からいずれか１つを選択する代表画像選択ステップと、上記代表画像選択ステップで選択された代表画像の元となる代表画像信号に対応する所定のフレーム数からなる関連画像信号群を、上記記憶手段から読み出す第２の画像信号読み出しステップと、上記モニタに、上記第２の画像信号読み出しステップで読み出された関連画像信号群に基づいて生成した関連画像群を表示する関連画像群表示ステップと、上記関連画像群の中から所望の関連画像を選択する関連画像選択ステップとを備える。